(57)【要約】【課題】  イヤホーンやコントロールボックスに接続するケーブルにおいて、ケーブルを結ばなくとも、引っ張り等のストレスに強いケーブル処理装置を提供する。【解決手段】  ケーブル７は、外周が絶縁処理された複数の芯線７ａを被覆して形成されている。ケーブル７は、その芯線７ａが露出するよう被覆が一部剥がされている。絶縁性保護部２１は、その被覆剥取り部２３およびこの前後を覆うようにケーブル７に鞘状に成形被覆されている。【選択図】  図２
2008245119.tif 000002
【特許請求の範囲】
【請求項１】
外周が絶縁処理された複数の芯線を被覆するとともに前記芯線が露出するよう前記被覆が一部剥がされたケーブルと、
少なくとも前記被覆剥取り部を覆う絶縁性保護部と、
を具備することを特徴とするケーブル処理装置。
【請求項２】
前記芯線は、露出する部分で結び目が形成されてなる請求項１記載のケーブル処理装置。
【請求項３】
前記保護部は合成樹脂で成形して形成された請求項１又は２記載のケーブル処理装置。
【請求項４】
前記保護部は外周に係合用凹溝が形成された請求項１〜３いずれか１記載のケーブル処理装置。
【請求項５】
前記保護部の前記凹溝に係合されるようにして前記ケーブルが差し込まれたケースを有する請求項１〜４いずれか１記載のケーブル処理装置。
【請求項６】
前記保護部を包むように把持する把持部を有するケースに前記ケーブルが差し込まれてなる請求項１〜３いずれか１記載のケーブル処理装置。
【発明の詳細な説明】
【技術分野】
【０００１】
本発明はケーブル処理装置に係り、例えばＣＤプレーヤやＭＤプレーヤ等の音響機器に用いるイヤホーンやリモートコントロールボックス（単に、コントロールボックスと略称する。）等に用いて好適するケーブル処理装置の改良に関する。
【背景技術】
【０００２】
従来、イヤホーン１は、例えば図６Ａに示すように、スピーカ３を内蔵したイヤホーンケース５にケーブル７を筒型のカバー部９から内部に挿通し、ケーブル７の先端部をイヤホーンケース５内で絡げるように結ぶとともにスピーカ３に接続する構成が良く知られている。
【０００３】
このようなイヤホーン１では、カバー部９から内部に挿通されたケーブル７がイヤホーンケース５内で結ばれているから、ケーブル７を外部から引っ張ってもイヤホーンケース５からケーブル７が抜け難く、スピーカ３との接続も確保され易い。
【０００４】
例えば、特開２００５−１３０２４７号公報（特許文献１）もこの種のものである。
【０００５】
さらに、イヤホーン１のケーブル７の途中に、ボリュームや操作ボタンを有するコントロールボックス１１を配置する構成も提供されている。
【０００６】
すなわち、コントロールボックス１１は、図６Ｂに示すように、可撓性保護鞘１３に挿通したケーブル７をボックスケース１５内に挿入し、ボックスケース１５内でケーブル７の先端部を絡げるように結ぶとともに回路基板１７に接続する構成が良く知られている。なお、図６Ｂ中の符号１９は保護鞘１３の外周に形成された凹溝であり、ボックスケース１５の端が係合する。
【０００７】
このようなコントロールボックス１１においても、ボックスケース１５内でケーブル７の先端部が結ばれているから、ケーブル７を外部から引っ張ってもボックスケース１５からケーブル７が抜け難く、回路基板１７との接続も確保され易い。
【特許文献１】特開２００５−１３０２４７号公報
【発明の開示】
【発明が解決しようとする課題】
【０００８】
しかしながら、上述した従来のイヤホーン１やコントロールボックス１１では、合成樹脂等によって被覆されたケーブル７自体がイヤホーンケース５内やボックスケース１５内で結ばれているから、イヤホーンケース５内やボックスケース１５内には結び目を収める収納空間を必要とし、イヤホーンケース５やボックスケース１５を小型化し難い難点がある。
【０００９】
他方、イヤホーン１やコントロールボックス１１においては、挿入されたケーブル７を引っ張っても抜けないように特別の工夫が必要であり、改善が望まれていた。  本発明はそのような課題を解決するためになされたもので、ケーブルを結ばなくとも引っ張り等のストレスに強いケーブル処理装置の提供を目的とする。
【課題を解決するための手段】
【００１０】
そのような課題を解決するために本発明に係るケーブル処理装置は、外周が絶縁処理された複数の芯線を被覆するとともにその芯線が露出するよう被覆が一部剥がされたケーブルと、少なくともその被覆剥取り部を覆う絶縁性保護部とを具備している。
【００１１】
本発明のケーブル処理装置では、上記芯線には露出する部分に結び目が形成されてなる構成も可能である。
【００１２】
本発明のケーブル処理装置では、上記保護部が合成樹脂で成形して形成された構成も可能である。
【００１３】
本発明のケーブル処理装置では、上記保護部がその剥取り部の外周に係合用凹溝を設けた構成も可能である。
【００１４】
本発明のケーブル処理装置では、上記保護部の凹溝に係合されるようにしてそのケーブルが差し込まれたケースを有する構成も可能である。
【００１５】
本発明のケーブル処理装置では、上記保護部を包むように把持する把持部を有するケースにそのケーブルが差し込まれてなる構成も可能である。
【発明の効果】
【００１６】
このような本発明に係るケーブル処理装置では、外周が絶縁処理された複数の芯線を被覆したケーブルにおいてその芯線が露出するよう被覆が一部剥がされ、少なくとも被覆剥取り部を絶縁性保護部で覆ってなるから、ケーブル自体を結ばなくとも引っ張り等のストレスに強い構成を提供可能である。
【００１７】
本発明のケーブル処理装置において、露出する部分で上記芯線が結び目を有する構成では、絶縁性保護部とケーブルの固定強度が向上する。
【００１８】
本発明のケーブル処理装置において、上記保護部が合成樹脂で成形して形成された構成では、絶縁性保護部とケーブルの良好な密着状態が得られる。
【００１９】
本発明のケーブル処理装置では、上記保護部がその剥取り部の外周に係合用凹溝を有する構成では、何らかの部材と保護部との係合状態を形成することが可能である。
【００２０】
本発明のケーブル処理装置では、上記保護部の凹溝に係合されるようにしてそのケーブルが差し込まれたケースを有する構成では、イヤホーンやコントロールボックスに応用して上述した効果を得ることが可能である。
【００２１】
本発明のケーブル処理装置では、上記保護部を包むように把持する把持部を有するケースにそのケーブルが差し込まれてなる構成では、そのケースによる保護部の保持固定が確実である。
【発明を実施するための最良の形態】
【００２２】
以下、本発明の実施の形態を図面を参照して説明する。なお、従来例と共通する部分には同一の符号を付す。
【００２３】
図１は本発明に係るケーブル処理装置の実施の形態をイヤホーン１を例にして示す断面図である。
【００２４】
図１において、合成樹脂からなるイヤホーンケース５は、一部を除きほぼ従来公知の形状を有し、内部にスピーカ３を内蔵している。なお、スピーカ３は本発明の要部ではないから、詳細な説明および図示を省略する。
【００２５】
イヤホーンケース５には、絶縁性保護部２１で覆われたケーブル７がイヤホーンケース５内部に挿通されている。
【００２６】
ケーブル７とこれを覆う絶縁性保護部２１は、図２に示すような構造になっており、本発明の要部である。
【００２７】
すなわち、ケーブル７は、図２Ａに示すように、外周が絶縁処理されたエナメル線（ＵＥＷ）等の２本の芯線７ａがポリウレタン合成樹脂等の被覆７ｂで覆われており、芯線７ａが露出するようにして被覆７ｂが一部剥がされている。
【００２８】
なお、芯線７ａは外周が絶縁処理されたエナメル線（ＵＥＷ）に限らず、導線の外周を絶縁性合成樹脂で被覆したものでも実施可能である。
【００２９】
被覆７ｂの剥がされた被覆剥取り部２３において、図２Ｂに示すように、２本の芯線７ａは結ばれて結び目７ｃが形成されている。
【００３０】
この結び目７ｃを含む前後において、ケーブル７の外周には可撓性合成樹脂、例えばポリプロピレン合成樹脂を成形して鞘状の筒形絶縁性保護部２１が形成されており、保護部２１が被覆７ｂ、芯線７ａおよびこの結び目７ｃに密着している。
【００３１】
保護部２１には、被覆剥取り部２３の外周部において凹溝２５が環状に形成されている。
【００３２】
保護部２１は、図示しない半割状成形型にケーブル７の被覆剥取り部２３近傍を挟んでポリプロピレン合成樹脂で成形加工して形成されている。
【００３３】
そして、ケーブル７はイヤホーンケース５内部に挿通されるとともに、カバー部９の端が凹溝２５に係合し、カバー部９によって絶縁性保護部２１が把持されている。
【００３４】
イヤホーンケース５の内部において、ケーブル７の芯線７ａがスピーカ３に接続されてイヤホーン１が構成されているのは、従来構成と同様である。
【００３５】
このようなイヤホーン１では、イヤホーンケース５の内部において、ケーブル７の結び目７ｃを形成する必要がないから、その分のスペース空間が不要となり、イヤホーンケース５の小型化が容易であるし、従来結びを位置させた部分に電子部品を配置する等して有効利用が可能である。
【００３６】
しかも、ケーブル７に被せた保護部２１が被覆剥取り部２３において芯線７ａの結び目７ｃに密着する一方、保護部２１の凹溝２５にイヤホーンケース５が係合して絶縁性保護部２１を把持しているから、ケーブル７にストレスをかけたりケーブル７を外部から引っ張っても、イヤホーンケース５からケーブル７が抜け難く、スピーカ３との接続も確保される。
【００３７】
さらに、ケーブル７の芯線７ａは、保護部２１で被覆されているから、機械的強度も確保されるし、芯線７ａの結び目７ｃは凹凸形状を有するから芯線７ａと保護部２１との密着強度も確保され、保護部２１が芯線７ａからずれ難い。
【００３８】
さらにまた、ケーブル７の芯線７ａは、結び目７ｃがなくて整列状態で挿入されているから、スピーカ３との半田付け接続作業も簡単である。
【００３９】
そして、上述した構成はイヤホーン１を例にしたものであったが、コントロールボックス１１においても実施可能である。
【００４０】
すなわち、コントロールボックス１１は、図３に示すように、上述した図２に示したケーブル７がボックスケース１５内部に挿通されるとともに、ボックスケース１５が凹溝２５に係合して絶縁性保護部２１が把持され、ケーブル７が回路基板１７に接続された構成である。
【００４１】
このようなコントロールボックス１１においても、ボックスケース１５の内部においてケーブル７の結びを形成する必要がないから、その分のスペース空間が不要となり、ボックスケース１５の小型化が容易であるし、従来結びを位置させた部分を有効に利用することが可能であるし、ボックスケース１５からケーブル７が抜け難く、回路基板１７との接続も確保される。
【００４２】
ところで、上述した構成は、イヤホーン１やコントロールボックス１１を例にしてイヤホーンケース５やボックスケース１５にケーブル７を挿入する構成であったが、本発明はこれに限定されない。
【００４３】
すなわち、図４に示すように、外周が絶縁被覆された２本の芯線７ａが合成樹脂等の被覆７ｂで覆われたケーブル７において、被覆剥取り部２３にて芯線７ａの結び目７ｃを形成し、この結び目７ｃを含む前後においてケーブル７の外周に鞘状の絶縁性保護部２１を成形するとともに、保護部２１からは外周が絶縁被覆された２本の芯線７ａを個別に導出する構成も可能である。
【００４４】
このような構成のケーブル処理装置は、例えばＣＤプレーヤやＭＤプレーヤ等の音響機器に接続されたケーブル７から途中で左右のイヤホーン１に分岐する部分の構成に応用可能であり、ケーブル７にストレスをかけたりケーブル７を引っ張ってもケーブル７がショートし難く、損傷を受け難い利点がある。
【００４５】
さらに、本発明のケーブル処理装置は、図５に示すように、ボックスケース１５の内側に円筒状の把持部２７を一体的に形成し、可撓性保護鞘１３ａに挿通したケーブル７をボックスケース１５内に挿入し、ボックスケース１５内において、保護部２１の両端面に係合するように保護部２１を把持部２７で包んで把持し、凹溝２５を省略した構成も可能である。
【００４６】
このような構成では、その保護部２１がボックスケース１５の内部で把持部２７によって確実に保持固定されるから、機械的強度が良好である。
【００４７】
本発明のケーブル処理装置は、イヤホーン１やコントロールボックス１１、更には、ケーブル７途中の分岐構成に限らず、芯線を有する種々のケーブルにおいて実施可能である。
【図面の簡単な説明】
【００４８】
【図１】本発明に係るケーブル処理装置の実施の形態を示す断面図である。
【図２】本発明のケーブル処理装置におけるケーブルと保護部との構成を示す図である。
【図３】本発明のケーブル処理装置における他の例を示す断面図である。
【図４】本発明のケーブル処理装置における他の例を示す図である。
【図５】本発明のケーブル処理装置における他の例を示す図である。
【図６】従来のケーブル処理装置を示す断面図である。
【符号の説明】
【００４９】
１  イヤホーン
３  スピーカ
５  イヤホーンケース（ケース）
７  ケーブル
７ａ  芯線
７ｂ  被覆
７ｃ  結び目
９  カバー部
１１  コントロールボックス（ケース）
１３、１３ａ  保護鞘
１５  ボックスケース
１７  回路基板
１９、２５  凹溝
２１  保護部
２３  被覆剥取り部
２７  把持部
【図１】
2008245119.tif 000003
【図２】
2008245119.tif 000004
【図３】
2008245119.tif 000005
【図４】
2008245119.tif 000006
【図５】
2008245119.tif 000007
【図６】
2008245119.tif 000008